(57)【要約】      （修正有）【課題】オートバイドライバーのための保護ヘルメットのバイザーの位置を制御するための装置のメンテナンスの実行および交換を容易にし、信頼性を高くし、安全性を高める。【解決手段】ヘルメットを保護するためのバイザー（１）を、ヘルメットの正面開口部に重なった状態から、部分的に外れた状態に回転させるようになっている制御装置は、正面開口部に対して、バイザーを少なくとも１つの位置に、ロックするための操作手段を備え、前記ロックするための手段は、ある程度の自由度をもって、バイザーに係止された制御要素（１０）を備え、この制御要素（１０）には、ヘルメットのキャップと一体的な、少なくとも１つのストッパー、またはシート（７ｂ）に係合するための少なくとも１つの歯またはピン（１１ａ、１１ｂ）が結合されている。【選択図】図１ａ
2007100290.tif 000002
【特許請求の範囲】
【請求項１】
ヘルメットを保護するためのバイザー（１）は、保護ヘルメットの正面開口部に完全に重なった状態から、前記正面開口部から、部分的に、または安全に外れた少なくとも１つの状態に回転自在であり、前記正面開口部に対して、前記バイザーを少なくとも１つの位置に反転自在にロックするための手動操作手段を備えた、保護ヘルメットのためのバイザー（１）を位置決めするための制御装置において、
前記バイザーをロックするための手段は、少なくともある程度の自由度をもって、前記バイザーに係止された制御要素（１０）を備え、この制御要素（１０）には、前記ヘルメットのキャップと一体的な、少なくとも１つのストッパーまたはシート（７ｂ）に係合するための少なくとも１つの歯またはピン（１１ａ、１１ｂ）が結合されており、前記制御要素は、前記少なくとも１つの歯またはピンと、前記ストッパーまたはシートとの係合を制御する、少なくとも１つの第１安定位置と、前記少なくとも１つの歯またはピンの前記ストッパーまたはシートからの外れを制御する、少なくとも１つの中立位置との間で移動自在であることを特徴とする、保護ヘルメットのためのバイザーを位置決めするための制御装置。
【請求項２】
前記制御要素（１０）は、前記キャップと一体的な２つの相対的ストッパーまたはシートと係合するための２つの歯（１１ａ、１１ｂ）と係合しており、前記制御要素は、前記歯のうちの１つと、前記相対的なストッパーまたはシート（７ｂ）との係合を制御する第１安定位置と、前記歯のうちの他方と、相対的ストッパーまたはシートとの係合を制御する第２安定位置と、前記相対的ストッパーまたはシートからの前記歯の外れを制御する中立位置との間で移動自在となっていることを特徴とする、請求項１に記載の装置。
【請求項３】
前記制御要素は、特定のハウジング（８、９）内で、前記バイザー（１）に対して枢動（１２ａ、１２ｂ）するレバー（１０）を備えていることを特徴とする、請求項１または２に記載の装置。
【請求項４】
前記レバー（１０）は、中心ピボット（１２ａ、１２ｂ）を備える２本のアーム（１３ａ、１３ｂ）を有するタイプであり、前記２本のアーム（１３ａ、１３ｂ）には、それぞれ、前記２つの歯（１１ａ、１１ｂ）のうちの１つが支持されていることを特徴とする、請求項２または３に記載の装置。
【請求項５】
前記レバー（１０）は、前記レバー（１０）のための支持フレーム（９）が介在することにより、前記バイザー（１）に対して共に回転するように枢動（１２ａ、１２ｂ）することを特徴とする、請求項３または４に記載の装置。
【請求項６】
前記フレーム（９）は、前記スロット（８）に対して取り外し自在に係止されていることを特徴とする、請求項５に記載の装置。
【請求項７】
前記少なくとも１つの歯またはピンと、前記ストッパーまたはシートとの係合を制御する、少なくとも前記第１安定位置に前記制御要素があるときに、前記バイザー（１）に対して、前記制御要素（１０）を取り外し自在に係止するための手段（１６ａ、１６ｂ、１７ａ、１７ｂ）を含むことを特徴とする、請求項１〜６のいずれかに記載の装置。
【請求項８】
前記制御要素（１０）を取り外し自在に係止するための前記手段（１６ａ、１６ｂ、１７ａ、１７ｂ）は、前記制御要素と共に運動する弾性変形可能で、かつ一体的な少なくとも１つのタブ（１６ａ、１６ｂ）を備え、前記タブは、前記バイザー（１）と一体的な相対的スロット（１７ａ、１７ｂ）に取り外し可能に係合していることを特徴とする、請求項７に記載の装置。
【請求項９】
前記少なくとも１つのストッパーまたはシート（７ｂ）は、前記バイザーを前記キャップに係止／枢動させるための機構（２、３、５）を介して、前記キャップと一体的となっていることを特徴とする、請求項１〜８のいずれかに記載の装置。
【請求項１０】
前記少なくとも１つのストッパーまたはシートは、前記係止／ピボット機構に設けられたハウジング（７ｂ）により構成されていることを特徴とする、請求項９に記載の装置。
【請求項１１】
前記少なくとも１つの歯は、前記相対的ストッパーまたはシートの対応するストッパー表面に対して実質的に傾斜する、相対的ストッパーまたはシートと係合するための表面を有することを特徴とする、請求項１〜１０のいずれかに記載の装置。
【請求項１２】
前記少なくとも１つの歯は、実質的にクサビ状であることを特徴とする、請求項１１に記載の装置。
【請求項１３】
前記少なくとも１つの第１安定位置は、前記キャップの正面開口部に完全に重なった前記バイザーの状態、または前記キャップの正面開口部に一部しか重なっていない前記バイザーの状態に対応している、請求項１〜１２のいずれかに記載の装置。
【請求項１４】
前記第２の安定位置は、前記キャップの正面開口部に、一部しか重なっていないバイザーの状態、または前記キャップの正面開口部に完全に重なったバイザーの状態に対応していることを特徴とする、請求項２または１３に記載の装置。
【請求項１５】
バイザーまたはキャップと一体的であり、前記キャップに対してバイザーが回転する間、前記キャップまたはバイザーと一体的な、対応するラック（１５）の凹部に、安定的に係合しうる少なくとも１つの弾性歯（６）も備える、請求項１３または１４に記載の装置において、前記少なくとも１つの安定位置または前記第２安定位置は、前記少なくとも１つの弾性歯が、前記ラックの凹部のうちの１つに挿入されない、前記キャップに対するバイザーの状態に対応している、請求項１３または１４に記載の装置。
【請求項１６】
前記少なくとも１つの弾性歯（６）またはラックは、前記バイザーをキャップに係止／枢動させるための機構（２、３、５）を介して、前記キャップと一体的となっていることを特徴とする、請求項１５に記載の装置。
【請求項１７】
前記制御要素（１０）は、前記バイザー（１）に対して取り外し自在に係止されていることを特徴とする、請求項１〜１６のいずれかに記載の装置。
【請求項１８】
前記制御要素（１０）は、前記バイザーの回転軸線の近くにおいて、前記バイザー（１）上に位置していることを特徴とする、請求項１〜１６のいずれかに記載の装置。
【発明の詳細な説明】
【技術分野】
【０００１】
本発明は、保護ヘルメット用のバイザーの位置を制御するための装置に関し、より詳細には、ヘルメットの正面開口部に全体が重なった状態から、正面開口部から部分的に、または完全に外れた状態まで、バイザーを回転させることができ、かつバイザーを、前記正面開口部に対する１つ以上の位置に反転自在にロックするための手動手段も設けられているタイプの、オートバイ運転者のための保護ヘルメット用バイザーの位置を制御するための装置に関する。
【背景技術】
【０００２】
関係の技術分野では、相対的キャップに対し、保護用ヘルメットのバイザーを係止し、前記正面開口部のエッジにあるヘルメットの側方領域において、キャップに締結された適当な機構に、前記バイザーの側端部を取り付けることは知られている。
【０００３】
必要な場合に、特定の工具を使って、一連の手動操作により、キャップからバイザーを外すことができる機構には、ピンが設けられており、このバイザーは、このピンを中心として回転し、バイザーは、その位置を制御するための装置をも備えているか、またはこの装置に連動でき、この制御装置は、ヘルメットの正面開口部に対して、バイザーを予め定められた位置に係止するための手段を有する。
【０００４】
ヘルメットの開口部に対して、所定位置にバイザーを保持するための最も簡単な公知の手段は、バイザーまたはキャップと一体的な弾性の歯、またはピンを備え、この歯またはピンは、キャップに対して、前記バイザーが回転する間、キャップまたはバイザーと、それぞれ一体的なラックに係合するようになっている。
【０００５】
ラックの凹部に、弾性歯またはピンが係合することによって、キャップに対するバイザーの安定した複数の位置が定まる。これらの位置は、ヘルメットの正面開口部に、バイザーが完全に、または部分的に重なったり、もしくは重ならない状態に対応している。
【０００６】
バイザーが、ある安定位置から別の安定位置に回転するには、弾性歯を変形するのに十分な力を加え、歯が、ラックの１つの凹部から、別の凹部に移動しなければならない。
【０００７】
例えば、凹部の間に、弾性的なセパレータを有するラックに、弾性的または弾性的ではない歯が係合するようになっている。
【０００８】
上記提案されている解決案に対して技術的に均等な解決案も、当技術分野で知られている。また、上記解決案とは異なるか、またはこの解決案に加えて、ヘルメットの正面開口部に対するバイザーの位置を決めるための制御装置も知られている。この制御装置では、前記歯またはピンの制御要素を操作することにより、ヘルメットのユーザーによって、バイザーと一体的な特定のシート（座）内、またはこのシートから、もしくは相対的なストッパーから、特定のピンまたは歯（キャップと共に回転し、通常弾性的である）を手動で係合させたり、外したりするようになっている。
【０００９】
キャップに対して、バイザーを回転させることができるように、相対的シートまたはストッパーから、歯またはピンを外すことは、相対的シートまたはストッパーから、前記歯またはピンを、ユーザーが手動で外したときだけでなく、ユーザーによって、バイザーに加えられた回転力が、例えば歯またはシートの弾性変形が生じるような所定のしきい値（このしきい値には、前記シートまたはストッパーのはずれが対応する）を越えたときでも、可能となるように、歯またはピン、および相対的なシートまたはストッパーの形状および位置が、通常定められている。
【００１０】
以下使用する「歯」または「ピン」なる用語は、シート内、または対応するストッパーと反転可能に係合自在であって、連動する可動要素の停止を、直接または間接に決定する、対向する要素を意味している。この意味において、「歯」は、相対的シートまたは相対的ストッパーと、効果的かつ反転自在に係合できるようにする任意の形状、例えば簡単なプリズム状、フック状またはクサビ状の突起とすることができる。
【００１１】
ＥＤＣ社により出願されたヨーロッパ公開特許第EP-A-0783842号は、同様な装置について述べている。この装置は、バイザーと一体的なラックに係合するようになっているキャップと一体的な弾性ピンを備えるタイプの、バイザーを所定位置に保持するための手段の他に、バイザーを、ヘルメットの正面開口部に対して、完全に、または部分的に重なる位置に、反転可能に、かつ安定的に締結するための手動手段も備えている。
【００１２】
上記引用した公開特許は、相対的アームの端部によって形成されるストッパーの歯を、どのようにして製造するかを教示している。このストッパーの歯は、バイザーおよびキャップに対して回転するノブによって制御されると共に、ノブがバイザー上のストッパーに係合し、バイザーの回転を防止する位置と、前記歯が前記ストッパーから外れ、従って、バイザーの回転を妨害しない位置との間を、移動自在となっている。
【００１３】
このストッパーの歯は、回転ノブにも係止された弾性ピンとも一体的であり、弾性ピンにも一体的であり、弾性ピンは、キャップと一体的なスリーブ内に製造されたシート内に取り外し自在に係合し、前記ストッパー要素が、予め選択した位置に安定的に停止し、バイザーをキャップに対する特定の位置に保持できるようになっている。
【００１４】
ストッパーピンに関連するピンの弾性、その形状、および対応するピンの形状によっても、バイザーのストッパーに係合する位置から、前記ストッパーの歯をユーザーが解放し、ユーザーが制御ノブを回転させて、ストッパーから歯を把持した場合、または更にユーザーがバイザーに十分な回転力を加えた場合でも、前記バイザーの回転を再開することが可能となっている。
【発明の開示】
【発明が解決しようとする課題】
【００１５】
上記ＥＤＣ社の解決方法は、使用上かなり効果的で、かつ安全であるが、複数の機械部品を使用しなければならず、これらの部品の組み立ては、困難であり、また部品の公差を注意深くチェックしなければならないので面倒である。
【００１６】
更に、キャップに対してバイザーが回転する間、ストッパー要素に連動する弾性ピンを、スリーブおよび相対的シートに連続的に係合させることにより、前記ピンの弾性特性が失われ、また相互にスライドする部品が、若干摩耗することがある。
【００１７】
ヨーロッパ公開特許出願第EP-A-0686357号（この出願も、ＥＤＣ社によって出願されたものである）は、ヘルメットの正面開口部に対するバイザーの位置を制御するための装置について述べている。この装置では、バイザーが顎ガードに当接する領域において、ヘルメットの顎ガードに取り付けられたスライダーがバイザーに係合する位置と、バイザーから外れる位置との間で、スライドするようになっている。
【００１８】
より詳細に説明すれば、スライダーは、バイザーの下端部に設けられた外側の突起に係合できる歯を備えている。バイザーが、顎ガード上の正面開口部を完全に閉じ、スライダーが前記外れ位置にあるときに、前記係合位置において、前記スライダーをスライドさせると、前記歯は、バイザーの外側突起に当接し、バイザーが上に上がるのが防止される。
【００１９】
バイザーが、正面開口部に完全に重なる位置にはなく、スライダーが、上記係合位置に位置している場合に、バイザーを下げると、相対的な突起がスライダーの歯に当接し、バイザーの完全な閉鎖は防止され、ヘルメットの内部に空気を流入させるためのギャップが生じる。
【００２０】
このＥＤＣ社の解決案でも、バイザーが、スライダーの歯によって閉じられた状態に保持されている場合に、より大きい力を加えても、スライダーと一体的な歯およびバイザーの突起の特定の形状によって、ユーザーは、バイザーを上に上げることができる。
【００２１】
このような場合でも、ヨーロッパ公開特許第EP-A-0686357号によって提案されている解決案は、極めて効果的かつ安全であるが、相互にスライドする複数の機械部品を使用しなければならず、これらの機械部品は、摩耗を生じ、かつ部品の製造および組み立ては、複雑であり、コスト高を招くこととなる。
【００２２】
更に、バイザーを位置決めするためのこの制御装置を交換しなければならない場合、顎ガードから装置全体、および場合によっては、バイザー自体も取り外し、これを、手動操作で交換しなければならないが、このような操作は、平均的なユーザーにとって、常に容易に実施できるとは限らない。
【００２３】
ショウエイ社を出願人とするヨーロッパ公開特許第EP-A-1260148号は、キャップに対するバイザーの位置を制御するための装置を、どのように製造するかについて述べている。この装置では、レバーと一体的に回転するストッパーの歯が、バイザーに形成された相対的ストッパーと係合し、バイザーが、ヘルメットの正面開口部に対する少なくとも所定の回転角度に達する第１位置と、ストッパーの歯が、ストッパーを妨害しない位置との間で、前記バイザーの回転軸線に対して、平行な軸に沿って、キャップに対して枢動される制御レバーを、ユーザーが回転できるようになっている。
【００２４】
ショウエイ社の装置は、キャップと一体的な弾性歯と、バイザーと一体的なラックとを備えるタイプのものであって、バイザーを、所定位置に一時しのぎに保持するための通常の手段の他に、前記制御レバーによっても回転させられるようになっているショルダーも備え、このショルダーの機能は、ヘルメットの正面開口部に完全に重なる位置から、数度だけ、バイザーを持ち上げることができるようになっている。
【００２５】
バイザーが、部分的に、わずかに持ち上げられたこの位置では、ストッパーの歯は、バイザーの相対的ストッパーには係合しないので、相対的ストッパーにより、バイザーがストッパーの歯に係合していないときに、バイザーを回転させるのに必要な通常の力よりも大きい力を必要とすることなく、ユーザーによって、バイザーを更に閉じるように回転させることができる。
【００２６】
ショウエイ社の解決案は、ある程度の有効性がないわけではないが、その機構は、必要な部品の数、および部品の形状、および往復動する干渉運動のために、かなり複雑であり、更に前記制御レバーを使用して得られる、上昇位置にバイザーをロックするための手段がないので、この位置にあるとき、大きな力を加えなくても、バイザーが妄りに閉じてしまうことがあり得る。
【００２７】
最後に、部品、特にストッパー歯の回避できない摩耗のために、バイザーの位置を制御するための装置を交換しなければならない場合、ショウエイ社の機構では、ユーザーが、バイザーおよび制御機構を外し、かつこれらを取り付けるという困難な作業を行わなければならない。
【００２８】
本発明の目的は、上記のような欠点がなく、機械的に簡単であり、メンテナンスの実施および交換が容易であり、信頼性が極めて高く、安全である、上記タイプであって、特にオートバイ運転者のための保護ヘルメットのバイザーの位置を制御するための装置を提供することにある。
【００２９】
本発明の別の目的は、ヘルメットの正面開口部に完全に重なった位置に対して、バイザーを、部分的かつわずかに上昇させる位置へ、ユーザーが手動で反転自在にブロックできるようになっている、保護ヘルメットのバイザーの位置を制御するための装置を提供することにある。
【００３０】
本発明の更に別の目的は、信頼性が高く、摩耗が少なく、使用が極めて安全であり、ユーザーによって簡単に操作できる、保護ヘルメットのバイザーの位置を制御するための装置を提供することにある。
【００３１】
上記およびそれ以外の目的は、独立請求項、およびその後の従属項に記載の、保護ヘルメットのバイザーを位置決めするための制御装置によって達成される。
【課題を解決するための手段】
【００３２】
本発明によれば、ヘルメットを保護するためのバイザーが、保護ヘルメットの正面開口部に完全に重なった状態から、前記正面開口部から、部分的にまたは安全に外れた少なくとも１つの状態に回転自在となっているタイプの保護ヘルメットのためのバイザーを位置決めするための制御装置は、前記正面開口部に対して、前記バイザーを少なくとも１つの位置に反転自在にロックするための手動操作手段を備えている。
【００３３】
バイザーをロックするための手段は、バイザーに少なくともある程度の自由度をもって係止された制御要素を備え、この制御要素には、ヘルメットのキャップと直接または間接的に一体的な少なくとも１つのストッパーまたはシートと係合するようになっている、少なくとも１つの歯またはピンが結合されていることが好ましい。
【００３４】
この制御要素は、バイザーが更に回転するのを防止するよう、歯またはピンと、ストッパーまたはシートとの係合を制御する、少なくとも１つの第１安定位置と、キャップに対して、バイザーが回転する通常の可能性を再開するように、相対的ストッパーまたはシートから、歯またはピンを外すのを制御する、少なくとも１つの中立安定位置との間で、移動自在である。
【００３５】
キャップに対して、バイザーを手動的にロックするための手段、または制御要素、および相対的ストッパー歯は、バイザー自身に直接係止されていることにより、バイザーを位置決めするための制御装置を簡略化し、前記装置を、バイザーの現在の枢動機構に適用することが可能となり、前記装置を交換する操作も、容易となっている。  
【００３６】
バイザーをロックする前記手動手段は、バイザーに対して枢動する２本のアームを備えた簡単なレバーから形成でき、アームの端部にてレバーには、すくなくとも１つのストッパーの歯が設けられ、このストッパーの歯は、例えば、既にバイザーの予め存在する枢動機構にあるキャップと一体的な相対的シート内に係合するようになっている。
【００３７】
更に、部品の間のスライド摩擦により、バイザーをロックする手段を交換しなければならなくなった場合に、バイザーの他にキャップに係止されている部品を外さなくても、バイザーと共に、これらの部品を容易に交換できる。
【００３８】
本発明に係わる装置のある特徴によれば、制御要素の一部の壁、またはバイザーの弾性変形に従う連動運動により、前記制御要素は、バイザーに取り外し自在に係止されている。この場合、摩耗が生じた際の制御要素の交換は、バイザーをするだけでなく、これを、単に制御要素から外すことによっても行うことができる
【００３９】
本発明の好ましい特徴によれば、前記制御要素は、２つの対応するシートに係合するようになっている２つのストッパーの歯またはキャップと一体的な２つの対応するストッパーに対応しているので、バイザーがヘルメットの正面開口部に、部分的または完全に重なった状態で、キャップに対する所定の２つの位置に、バイザーを安定的に保持することができる。
【００４０】
この場合、制御要素は、２つの歯のうちの１つと相対的なストッパーまたはシートとの係合を制御する第１安定位置と２つの歯のうちの他方と、相対的ストッパーまたはシートとの係合を制御する第２安定位置と双方の歯が相対的ストッパー、またはシートから外れることを制御する中立安定位置との間で移動できる。
【００４１】
本発明の好ましい実施例では、前記第１安定位置は、キャップの正面開口部にバイザーが完全に重なった状態にある構造と対応し、前記第２安定位置は、前記バイザーがキャップの正面開口部に、一部しか重なっていない状態の構造と対応している。
【００４２】
特に、バイザーが、正面開口部に部分的に重なっているい第２安定位置は、バイザーがほとんど完全に正面開口部に重なり、バイザーと正面開口部との間に、狭いギャップしか形成せず、ドライバーのために曇り止め、または冷却機能を達成し、かつバイザーと前記正面開口部との間に、制限された量の空気を流すことができるように選択できる。
【００４３】
以下、添付図面を参照し、本発明の好ましい実施例を、本発明を制限しない例として説明する。
【発明を実施するための最良の形態】
【００４４】
図１ａおよび図１ｂは、ヘルメットの正面開口部の側端部において、オートバイ運転者のための保護ヘルメットのキャップに対し、バイザー１を枢動させるための機構の一部を示す。
【００４５】
本願出願人によるヨーロッパ公開特許第EP-A-1397969号により、それ自体公知である、図示の機構は、例えばネジ手段によって、保護ヘルメットのキャップに締結されるようになっているベース２と、このベース２に一体的に係止され、溝７ａ、７ｂが設けられ、バイザー１を、前記機構に回転自在に係止するようになっている中間体３と、この中間体３と、バイザー１の側面に形成された対応する円形孔４と係合し、バイザー１が回転する際の回転軸線を構成する弾性ピン５とを備えている。
【００４６】
前記ヨーロッパ公開特許第EP-A-1397969号に詳しく記載されているような弾性ピン５は、軸方向にスライド可能に、保護ヘルメットのキャップに弾性的に取り付けられており、溝７ａ、７ｂと共に、バイザーの回転軸の機能を奏するだけではなく、前記キャップに対する位置に応じて、前記溝７ａ、７ｂと干渉したり、干渉しないようになっており、前記バイザー１の手動の取り付けおよび取り外しも可能にしている。
【００４７】
図示の保護ヘルメットは、バイザー１をヘルメットの正面開口部に対して、１つ以上の位置に反転自在にロックするための、手動で操作される手段８、９、１０、７ａを備えるタイプの、正面開口部に対するバイザー１の位置を制御するための装置も備えている。
【００４８】
前記手段は、図７ａ、図７ｂ、図３および図４に示すように、バイザー１に対し、少なくともある自由度で係止され、相対的なストッパーまたはシート７ｂと係合するように、少なくとも１つの歯１１ａ、１１ｂと係合し、ヘルメットのキャップと一体的になっている制御要素１０と係合するようになっている。
【００４９】
この制御要素１０は、相対的ストッパーまたはシート７ｂと、歯１１ａ、１１ｂとの係合を制御する少なくとも１つの第１安定位置と、歯１１ａ、１１ｂを前記ストッパーまたはシート７ｂから外すことを制御する少なくとも１つの安定した中立位置との間で、移動自在となるような形状となっている。
【００５０】
より詳細には、図示の特定の実施例では、制御要素１０は、２本のアーム１３ａ、１３ｂを有するレバーから構成されており、このレバーは、支持フレーム９によりバイザー１に形成された有形スロット８内に取り付けられており、中心まわりに枢動するようになっている。
【００５１】
フレーム９とスロット８とは、例えば前記フレーム９に形成された弾性突起により、干渉して、往復動作自在に結合するように形成されており、これらフレームとスロット８とを、互いに一体にするようになっているが、他方、レバー１０には、ピン１２ａ、１２ｂが設けられ、このピンは、例えばフレーム９の内部に存在する、対応する孔１４ｂの内部で、前記ピン１２ａ、１２ｂの弾性変形に従うように挿入されており、２本のアーム１３ａ、１３ｂに対するピボットとして働くようになっている。
【００５２】
相対的寸法、従って往復動する干渉だけでなく、フレーム９とスロット８との形状も、ユーザーが本明細書で説明するバイザー１の位置を制御するために、装置における部品を交換したり、またはメンテナンスを行いたい場合に、ユーザーが所定の力を加えることにより、バイザー１から、フレーム９および従って、レバー１０を取り外すことができるようにすることが好ましい。
【００５３】
これとは異なり、既に述べたように、バイザー１全体を交換することにより、レバー１０およびフレーム９を交換することができる。
【００５４】
アーム１３ａ、１３ｂの内側部分、例えば前記フレーム９を通して、バイザー１にレバー１０を取り付けたときに、ヘルメットのキャップに向いた部分にも、歯１１ａ、１１ｂが設けられている。これら歯は、キャップと一体的なそれぞれのシート、すなわちストッパー表面と係合するようになっている。
【００５５】
このストッパー表面は、本明細書に示されている本発明の特定の実施例では、前記キャップに対するバイザー１の枢動機構の中間体３に形成された溝７ｂの上位および下位端部領域から形成されている。
【００５６】
レバー１０、従って、フレーム９ならびにスロット８の平面におけるカーブした形状の目的は、溝７ｂ（この溝もカーブしている）、および特に上位および下位端部壁と、歯１１ａ、１１ｂとの結合を可能にすることである。スロット８は、バイザー１の回転孔４と同心状にも位置しているので、前記溝７ｂに対応している。
【００５７】
組み立て時のバイザー１上のスロット８の位置、またはフレーム９および制御レバー１０の位置は、ユーザーが、前記レバー１０を位置決めし、操作することが容易となるよう、バイザー１の回転軸線の近く、またはバイザー１の相対的枢動機構に係止する領域内に位置していることが好ましい。
【００５８】
相互接触する機械部品、従って、摩耗が生じかつ機械部品は、本明細書に記載の案では、フレーム９の相対的な孔１４ｂと係合するピン１２ａ、１２ｂ、すなわち、更に有力なローリング摩擦を受ける部品だけに限定される。
【００５９】
これらの部品は、この場合、より大きく、かつスライド摩擦を受けるので、ピン１２ａ、１２ｂにより、フレーム９に対して共に回転自在に係止され、次に、バイザー１のスロット８内に嵌合されたレバー１０を使用することは、前記バイザーでスライドするスライダーを、別の態様で使用することに関して有利である。
【００６０】
図示した本発明の実施例におけるレバー１０、および溝７ｂの歯１１ａ、１１ｂの寸法、および形状は、ユーザーが操作すると、歯１１ａと溝７ｂの下位領域（図１ａおよび１ｂ参照）との係合に対応する位置、歯１１ｂと溝７ｂの上位領域との係合位置、および双方の歯１１ａ、１１ｂが溝７ｂから外れる位置（レバー１０の中立位置に対応する）にそれぞれ交互に対応する３つの安定位置に、レバー１０が到達できるようにする寸法および形状となっている。
【００６１】
従って、歯１１ａ、１１ｂが、溝７ｂのそれぞれの端部領域に交互に係合することによって、恒久的ではないが、２つの所定位置において、保護ヘルメットの正面開口部に対するバイザー１のロックが生じる。
【００６２】
図示されている本発明の特定の実施例では、これら所定の位置のうちの１つは、ヘルメットの正面開口部に、バイザー全体が重なるバイザー１の位置に対応しているが、別の所定の位置は、全体開口部と全体バイザー１との間にギャップが形成され、ヘルメット内に制御された限られた量の空気が流入できるように、正面開口部にバイザーの一部が重なるバイザー１の位置に対応する。
【００６３】
この場合、溝７ｂの下位端部壁は、ヘルメットの正面開口部に対するバイザー１の上昇運動に対応する回転方向への、望ましくないすべての運動を防止できる歯１１ａに対するストッパーを形成するが、一方、溝７ｂの上位端部壁は、前記正面開口部に対してバイザー１が更に降下することを防止できる歯１１ｂに対するストッパーを形成する。
【００６４】
本明細書に示されている実施例とは異なり、歯１１ａ、１１ｂの一方または他方を挿入し、バイザー１の回転を一時的にロックできるシートを構成するように、溝７ｂの前記端部領域のうちの１つまたは他方に、一例として適当なノッチまたは突起を形成できることが理解できるはずである。従って、これらノッチおよび突起は、内部に係合する歯１１ａ、１１ｂに対する２つの対向するストッパー壁を構成する機能を有することができ、歯１１ａ、１１ｂが一体的となっているバイザー１の回転を防止できる。
【００６５】
更に、図示のレバー１０および相対的フレーム９の好ましい実施例では、レバー１０には、２つのタブ１６ａ、１６ｂも設けられている。これらタブは、アーム１３ａ、１３ｂの端部に実質的に位置しており、フレーム９の上位エッジに当接するか、または前記フレーム９の側壁に形成された、対応する係合スロット１７ａ、１７ｂに交互に挿入されるようになっている。
【００６６】
図示されている本発明の実施例において、相対的スロット１７ａ、１７ｂに、前記タブ１６ａ、１６ｂを挿入することは、前記スロット１７ａ、１７ｂの壁の弾性またはレバー１０、またはそのアーム１３ａ、１３ｂが弾性変形できることによって可能になっている。この挿入は、前記タブ１６ａ、１６ｂが弾性変形できることによっても、可能になり、または容易になる。
【００６７】
より詳細には、ユーザーが、アーム１３ａ、１３ｂのうちの１つを操作することにより、相対的な歯１１ａ、１１ｂが、溝７ｂの対応する下位および上位端部壁に係合し、レバー１０の回転に対する更なる障害を形成したときにしか、タブ１６ａ、１６ｂは、それぞれのスロット１７ａ、１７ｂに係合するように推進されない。この場合、レバー１０は、キャップに対してバイザー１をロックするための上記２つの所定位置のうちの任意の１つに位置する。
【００６８】
その代わりに、レバー１０が前記中立位置にあるとき、かかるタブ１６ａ、１６ｂは、それぞれのスロット１７ａ、１７ｂから外れ、フレーム９の上位エッジに当接するので、バイザー１をロックする所定の２つの位置のうちの１つにあるレバー１０の回転が、これらタブ１６ａまたは１６ｂの一方または他方によって生じる抵抗力によって防止される。
【００６９】
本発明の別の特定の好ましい態様によれば、ユーザーが、ピン１２ａ、１２ｂ（図１ａも参照）を中心として、レバー１０を一方向または他方向に回転させると、前記歯１１ａ、１１ｂのうちの１つと溝７ｂの対応するストッパーの壁とが係合するように、歯１１ａ、１１ｂには、端部に向かうテーパがつけられており、かつクサビ状となっていることが好ましい。
【００７０】
換言すれば、溝７ｂの相対的なストッパー壁に当接する歯１１ａ、１１ｂの壁の傾きにより、相対的ストッパーに係合している歯１７ａまたは１７ｂを、溝７ｂから外し、その結果、レバー１０を、その中立位置まで回転させるのに十分な回転力を、ユーザーがバイザー１に加えた場合に、ユーザーが、前記歯１１ａ、１１ｂを前記溝７ｂのそれぞれのストッパーから外すことができるようになっている。
【００７１】
この場合、バイザー１１のこの回転力は、バイザーが係合するフレーム９の対応するスロット７ａまたは７ｂから、タブ１６ａまたは１６ｂを外すのに十分大きくなければならない。すなわち、対応するスロット１７ａまたは１７ｂの係合する壁の弾性変形を生じさせることができるか、またはレバー１０を回転した後に、前記タブ１６ａまたは１６ｂを相対的スロット１７ａ、または１７ｂから解放できるように、レバー１０全体の弾性変形も生じさせることができなければならない。
【００７２】
本発明の別の特徴によれば、バイザー１の位置を制御するための装置は、バイザー１と共に回転するように、一体的となっているラック１５（図１ｂ）も備え、このラック１５は、ヘルメットのキャップに対して、前記バイザー１を枢動させるための機構の中間体３と一体的な弾性歯６と係合している。
【００７３】
弾性歯６が、ラック１５の凹部に位置しているとき、バイザー１は、安定位置にあり、ユーザーは歯が挿入されている凹部から弾性歯６を外し、その後、隣接する凹部に係合させるための所定の力を加え、バイザー１をキャップに対して、一方向また他の方向に回転させなければならない。
【００７４】
上記のように、溝７ｂのそれぞれのストッパー壁内に歯１１ａ、１１ｂが係合することにより、バイザー１がロックされている位置は、バイザー１が正面開口部に完全に重なっている（すなわち、開口部が完全に閉じている）第１位置、およびバイザーがほとんど完全に重なっている第２位置（すなわち、正面開口部が完全に閉じている位置からバイザー１がわずかに上昇している位置）に、それぞれ一致している場合、ラック１の凹部の間の距離および弾性歯６に対するラックの形状は、正面開口部を閉じる前記第１位置に到達した際に弾性歯６がラック１５のスロットのうちの１つに嵌合し、一方、バイザーがわずかに上昇した第２位置に到達したときには、弾性歯６はスロットに挿入されず、従って安定平衡位置にないように選択できる。
【００７５】
このように、溝７ｂと対応する歯１１ｂとの係合によって生じる制限がなくなると、バイザー１は、弾性歯６がラック１５の凹部のうちの１つに挿入されるまで回転するように働く。この場合、前記部品の寸法を注意深く定める結果、歯６は、バイザー１によるヘルメットの正面開口部が完全に閉鎖する位置に対応するラック１５の凹部に推進される。
【００７６】
次に、図５、図６および図７を参照し、上記キャップに対するバイザー１の位置を制御するための装置の作動について説明する。
【００７７】
ユーザーが、保護ヘルメットの正面開口部に対し、バイザー１を回転しようとするとき、ユーザーは、アーム１３ａ、１３ｂのうちの一方、または他方の上のレバー１０の初期構造に従って作動させるよう、レバー１０を、図５に示された中立位置とする。
【００７８】
この中立位置では、歯１１ａ、１１ｂは、溝７ｂにより定められた相対的ストッパーから外れ、レバー１０のタブ１６ａ、１６ｂは、前記レバー１０のフレーム９の外側エッジ（すなわちキャップに対して外側に向いたエッジ）に当接する。この場合、ユーザーは、保護ヘルメットのキャップに対し、バイザーを自由に回転させることができ、ラック１５の１つのスロットから、別のスロットに移動するときに、弾性歯６によって生じるわずかな抵抗力に打ち勝つことができる力を加えるだけでよい。
【００７９】
ヘルメットの正面開口部にバイザー１が完全に重なった位置に、バイザーが到達したときに、ユーザーがバイザー１をこの位置に保持することを決定すれば、ユーザーは、歯１１ａを溝７ｂの下位端部壁に係合し、同時に、前記スロット１７ａの壁またはレバー１０全体の弾性変形に従って、フレーム９の対応するスロット１７ａへのタブ１６ａの挿入を行うことができる。
【００８０】
換言すれば、バイザー１が、ヘルメットの正面開口部を完全に閉じる状態に到達すると、ユーザーは、前記歯１１ａが溝７ｂの前記下位端部壁に係合し、フレーム９の相対的スロット１７ａにタブ１６ａが挿入されるまで、ユーザーはアーム１３ａを押すことができる。
【００８１】
この状態（図６に示す）において、ヘルメットの正面開口部の完全閉鎖位置から、バイザー１を上昇させる方向の不意の回転は、ラック１５の相対的最終凹部内に弾性歯６が係合していることだけでなく、溝７ｂの下位ストッパー壁の係合、およびタブ１６ａの、スロット１７ａへの係合によっても防止される。
【００８２】
次に、ユーザーが上記完全閉鎖位置から、バイザー１を持ち上げたい場合、ユーザーによって、レバー１０のアーム１３ｂにわずかな圧力を加えることにより、レバー１０の中立位置（図５）に達することができるので、上記のように、バイザー１を自由に回転することが可能となる。
【００８３】
この場合、レバー１０が回転することにより、歯１１ａが溝７ｂから外れるだけでなく、スロット１７ａまたはレバー１０全体の弾性変形も生じ、これによって、タブ１６ａを相対的スロット１７ａから解放できるので、レバー１０はピン１２ａ、１２ｂを中心として自由に回転する。
【００８４】
更に、レバー１０が回転運動する際に、前記タブ１６ａに対向する対向１６ｂは、フレーム９の外側エッジに当接するので、レバー１０が中立位置にある時、このレバー１０が更に回転するのが防止される。
【００８５】
バイザー１が正面開口部から一部または完全に外れた位置にある状態からスタートすると、ユーザーにより、レバー１０のアーム１３ｂにかかる適当な圧力は、溝７ｂ内へのレバー１０の歯１１ｂの予備的挿入を決定するが、前記溝７ｂの上位ストッパー壁に係合せず、スロット１７ｂにタブ１６ｂが対応して係合する。
【００８６】
一方、この状況でスタートすると、ユーザーがバイザー１を下げるようにその後回転させると、歯１１ｂは、溝７ｂ（図７）の上位ストッパー壁に当接し、よって、バイザー１と正面開口部との間のギャップの開口部の解放に対応する上記安定位置に到達する。
【００８７】
更にバイザー１を下げる方向に回転することは、バイザーをキャップに対して枢動させる機構の溝７ｂの上位壁と歯１７ｂとの係合、およびタブ１６ｂと相対的ストッパー１７ｂとの係合により防止される。しかし、バイザー１の上昇運動は、溝７ｂへの歯１１ｂの係合またはスロット１７ｂ内に位置するタブ１６ｂによって防止されることはない。
【００８８】
最後に、既に述べたように、歯１１ａ、１１ｂおよび溝７ｂ内に構成された相対的ストッパー壁の形状によって、ユーザーが、歯１１ａ、１１ｂを前記ストッパーから外すことが可能となるが、このことは、ユーザーがバイザー１に十分な上昇力または降下力を加え、歯１１ａ、１１ｂまたは相対的ストッパー壁、およびレバー１０または相対的スロット１７ａ、１７ｂの壁の若干の弾性変形を可能にし、この変形によって、前記歯１１ａ、１１ｂは、ストッパー壁に対して並進運動して、ストッパー壁から外れ、更に中立位置まで移動するように、ピボット１２ａ、１２ｂに対するレバー１０の回転も生じる。
【００８９】
バイザー１に前記回転力が加えられ、適当な形状の歯１１ａ、１１ｂ、タブ１６ａまたは１６ｂにより、レバー１０の同時回転が生じると、相対的スロット１７ａまたは１７ｂに係合していないタブ１６ａまたは１６ｂは、フレーム９の外側エッジに当接するので、中立位置にあるときのレバー１０の更なる回転を防止し、よって、前記レバー１０の前記中立位置の設定を実質的に促進しながら、バイザーの所定のロック位置のうちの一方または他方が不意に設定されるのを防止する。
【００９０】
このように、バイザー１が、ヘルメットの正面開口部を完全に閉じた位置にあって、バイザーをこの位置にロックした状態にあるときに、ユーザーが、レバー１０を操作すると、レバーは、図６に示された状態となるが、歯１１ａと溝７ｂの下位端部壁との係合は、スロット１７ａ内にタブ１６ｂが係合している場合のように、前記バイザー１を上昇させる方向への回転を防止する。
【００９１】
ユーザーが、十分な回転力を加えると、歯１１ａの傾斜壁、相対的ストッパー壁に対する傾斜壁の相対的なスライド、その上昇運動、レバー１０またはスロット１７ａの壁、および前記スロット１７ａからのタブ１６ａの弾性変形に起因し、更にフレーム９の外側エッジへの他方のタブ１６ｂのその後の当接によって、このような回転が生じるので、レバー１０の中立位置が設定され、ユーザーにより、バイザー１を上昇させるように更に回転させることが可能となる。
【００９２】
同じように、ユーザーが、ヘルメットの正面開口部に対して限られた上昇位置にバイザー１を位置決めし、溝７ｂ（図７）内に歯１１ｂを係合させることにより、バイザー１をこの位置にロックさせ、バイザー１が前記正面開口部を閉じるように更に降下するのを防止した場合、バイザー１に十分な下方回転力が加えられると、溝７ｂのストッパー壁に対する歯１１ｂのスライド、その上昇運動、スロット１７ｂからのタブ１６ｂの外れ、フレーム９の外側エッジに当接するタブ１６ｂによって促進される中立位置でのレバー１０の回転を決定し、よって、バイザー１が更に回転し、ヘルメットの正面開口部を閉じることができる。
【００９３】
当業者には明らかであると思われるこの解決案は、本発明に係わる装置の使用時の安全性を高め、万が一にも、レバー１０が、バイザー１の回転を阻害することを防止できる。
【図面の簡単な説明】
【００９４】
【図１ａ】本発明の特徴に係わる、バイザーを位置決めするための制御装置と連動する、バイザーの枢動機構のある角度の視角から見た分解図である。
【図１ｂ】本発明の特徴に係わる、バイザーを位置決めするための制御装置と連動する、バイザーの枢動機構の、図１ｂとは１８０度異なる視角から見た分解図である。
【図２ａ】本発明の好ましい特徴に係わる、図１ａに示されたバイザーの位置を制御するための装置のストッパー歯の制御要素の斜視図である。
【図２ｂ】本発明の好ましい特徴に係わる、図１ａに示されたバイザーの位置を制御するための装置のストッパー歯の制御要素の平面図である。
【図３】保護ヘルメットのバイザー上の、図２ａおよび図２ｂに示された制御要素の支持取り付けフレームの斜視図である。
【図４】図２ａ、図２ｂおよび図３に示された制御要素、および相対的フレームの斜視図である。
【図５】中立位置、すなわちバイザーの回転を解放する、前の図に示された、バイザーを反転可能にロックするための手段の側断面図である。
【図６】バイザーの第１ロック位置にあるときの、前の図に示されたバイザーを反転自在にロックするための手段の側断面図である。
【図７】バイザーの回転をロックする第２位置にあるときの、前の図に示された、バイザーを反転自在にロックするための手段の側断面図である。
【符号の説明】
【００９５】
１    バイザー
２    ベース
３    中間体
４    円形孔
５    弾性ピン
７ａ、７ｂ    溝
８    スロット
９    フレーム
１０    制御要素
１１ａ、１１ｂ    歯
１２ａ、１２ｂ    ピン
１３ａ、１３ｂ    アーム
１４ｂ    孔
１５    ラック
１６ａ、１６ｂ    タブ
１７ａ、１７ｂ    スロット
【図１ａ】
2007100290.tif 000003
【図１ｂ】
2007100290.tif 000004
【図２ａ】
2007100290.tif 000005
【図２ｂ】
2007100290.tif 000006
【図３】
2007100290.tif 000007
【図４】
2007100290.tif 000008
【図５】
2007100290.tif 000009
【図６】
2007100290.tif 000010
【図７】
2007100290.tif 000011
【外国語明細書】
2007100290000001.pdf